(57)【要約】【課題】  画像記録用紙をプリンタに挿入するだけで、必要な情報を印刷させる。【解決手段】  磁気ストライプには、ＵＲＬ、ファイルパスなどの記録対象情報を特定するための記録対象特定情報が記憶されており、ＣＰＵ５０は、磁気ヘッド５３および記憶媒体リード／ライト制御部５４を介して、磁気ストライプから記録対象特定情報を読み出す。これにより、ＣＰＵ５０は、記録ヘッド１２、印字制御部５５、モータ部５６およびモータ制御部５７を備える記録部を制御して記録対象特定情報に対応する記録対象情報を画像記録用紙に記録する。【選択図】      図４
2005280046.tif 000002
【特許請求の範囲】
【請求項１】
記憶媒体を有する記録用紙に記録を行う記録装置において、
前記記憶媒体には、記録対象情報を特定するための記録対象特定情報が記憶されており、
前記記憶媒体から前記記録対象特定情報を読み出す読出部と、
前記記録用紙に記録を行う記録部と、
前記記録部を制御して前記記録対象特定情報に対応する前記記録対象情報を前記記録用紙に記録する制御部と、
を備えたことを特徴とする記録装置。
【請求項２】
請求項１記載の記録装置において、
前記制御部は、読み出した前記記録対象特定情報に基づいて、対応する前記記録対象情報を通信ネットワークを介して外部装置に要求する情報要求部と、
前記通信ネットワークを介して前記外部装置から前記記録対象情報を受け取る情報受取部と、
を備えたことを特徴とする記録装置。
【請求項３】
請求項１または請求項２記載の記録装置において、
前記記録対象特定情報は、ＵＲＬあるいはファイルパスを含むことを特徴とする記録装置。
【請求項４】
請求項１ないし請求項３のいずれかに記載の記録装置において、
前記記憶媒体は、磁気ストライプであり、
前記読出部は、磁気ヘッドを有する磁気リーダとして構成されている、
ことを特徴とする記録装置。
【請求項５】
請求項１ないし請求項３のいずれかに記載の記録装置において、
前記記憶媒体は、二次元バーコードあるいはＩＣチップであり、
前記読出部は、バーコードリーダあるいはＩＣチップリーダとして構成されている、
ことを特徴とする記録装置。
【請求項６】
記録部を備え、記憶媒体を有する記録用紙に記録を行う記録装置の制御方法において、
前記記憶媒体には、記録対象情報を特定するための記録対象特定情報が記憶されており、
前記記憶媒体から前記記録対象特定情報を読み出す読出過程と、
前記記録部を制御して前記記録対象特定情報に対応する前記記録対象情報を前記記録用紙に記録する記録過程と、
を備えたことを特徴とする記録装置の制御方法。
【請求項７】
記憶媒体を有する記録用紙に記録を行う記録装置をコンピュータにより制御するための制御プログラムにおいて、
前記記憶媒体には、記録対象情報を特定するための記録対象特定情報が記憶されており、
前記記憶媒体から前記記録対象特定情報を読み出させ、
前記記録対象特定情報に対応する前記記録対象情報を前記記録用紙に記録させる、
ことを特徴とする制御プログラム。
【請求項８】
請求項７記載の制御プログラムにおいて、
読み出させた前記記録対象特定情報に基づいて、対応する前記記録対象情報を通信ネットワークを介して外部装置に要求させ、
前記通信ネットワークを介して前記外部装置から前記記録対象情報を受け取らせる、
ことを特徴とする制御プログラム。
【請求項９】
請求項７または請求項８のいずれかに記載の制御プログラムを記録したことを特徴とするコンピュータ読取可能な記録媒体。
【発明の詳細な説明】
【技術分野】
【０００１】
本発明は、記録装置、記録装置の制御方法、制御プログラムおよび記録媒体に係り、特に記憶媒体から記憶情報を読み出す読出装置を備えた記録装置、記録装置の制御方法、制御プログラムおよび記録媒体に関する。
【背景技術】
【０００２】
従来より、いわゆるパスブック型のドットインパクトプリンタが知られている（例えば、特許文献１参照）。
このパスブック型のドットインパクトプリンタは、磁気ヘッドにより画像記録媒体（例えば通帳等の画像記録用紙）に設けられた磁気記録媒体（例えば磁気ストライプ）に磁気情報を記録し、あるいは磁気情報を再生する磁気記録再生装置を有している。
そして、記録ヘッドは、記録ワイヤを突出動作させることにより、インクリボンを画像記録媒体に打ち付けてインクを転写し、文字等を含む画像を記録することとなる。
【０００３】
より詳細には、この記録ヘッドは、フロントローラとリアローラとの間に位置するプラテンに対向した位置に設けられている。
このとき、記録ヘッドのリアローラ側には横並びに用紙検出センサを備え、リアローラ側には、先端部が記録ヘッド側に延出して、記録ヘッドを通過した、画像記録用紙の先端を、リアローラに案内する案内部材を備えて構成される。
このようなパスブック型のドットインパクトプリンタは主に金融機関等で使用されており、通帳の他、一枚紙や複写紙等に対しても画像を記録することができる。
【特許文献１】特開平６−２９７７９８号公報
【発明の開示】
【発明が解決しようとする課題】
【０００４】
ところで、上記従来のドットインパクトプリンタにおいて、磁気記録媒体に記録されている磁気情報は、顧客情報などの記録に用いられているだけであり、画像記録用紙に記録すべき対象は、ドットインパクトプリンタを制御する外部の制御装置（例えば、パーソナルコンピュータあるいはサーバなど）により指示されることとなっていた。
したがって、ドットインパクトプリンタに対して磁気記録媒体を利用して記録対象を指示することはできなかった。
そこで、本発明の目的は、画像記録用紙をプリンタに挿入するだけで、必要な情報を印刷させることができる記録装置、記録装置の制御方法、制御プログラムおよび記録媒体を提供することにある。
【課題を解決するための手段】
【０００５】
上記課題を解決するため、記憶媒体を有する記録用紙に記録を行う記録装置において、前記記憶媒体には、記録対象情報を特定するための記録対象特定情報が記憶されており、前記記憶媒体から前記記録対象特定情報を読み出す読出部と、前記記録用紙に記録を行う記録部と、前記記録部を制御して前記記録対象特定情報に対応する前記記録対象情報を前記記録用紙に記録する制御部と、を備えたことを特徴としている。
上記構成によれば、読出部は、記憶媒体から記録対象特定情報を読み出す。
これにより制御部は、記録部を制御して記録対象特定情報に対応する録対象情報を前記記録用紙に記録する。
【０００６】
この場合において、前記制御部は、読み出した前記記録対象特定情報に基づいて、対応する前記記録対象情報を通信ネットワークを介して外部装置に要求する情報要求部と、前記通信ネットワークを介して前記外部装置から前記記録対象情報を受け取る情報受取部と、を備えるようにしてもよい。
また、前記記録対象特定情報は、ＵＲＬあるいはファイルパスを含むようにしてもよい。
さらに、前記記憶媒体は、磁気ストライプであり、前記読出部は、磁気ヘッドを有する磁気リーダとして構成されているようにしてもよい。
さらにまた、前記記憶媒体は、二次元バーコードあるいはＩＣチップであり、前記読出部は、バーコードリーダあるいはＩＣチップリーダとして構成されているようにしてもよい。
【０００７】
また、記録部を備え、記憶媒体を有する記録用紙に記録を行う記録装置の制御方法は、前記記憶媒体には、記録対象情報を特定するための記録対象特定情報が記憶されており、前記記憶媒体から前記記録対象特定情報を読み出す読出過程と、前記記録部を制御して前記記録対象特定情報に対応する前記記録対象情報を前記記録用紙に記録する記録過程と、を備えたことを特徴としている。
また、記憶媒体を有する記録用紙に記録を行う記録装置をコンピュータにより制御するための制御プログラムは、前記記憶媒体には、記録対象情報を特定するための記録対象特定情報が記憶されており、前記記憶媒体から前記記録対象特定情報を読み出させ、前記記録対象特定情報に対応する前記記録対象情報を前記記録用紙に記録させる、ことを特徴としている。
【０００８】
この場合において、読み出させた前記記録対象特定情報に基づいて、対応する前記記録対象情報を通信ネットワークを介して外部装置に要求させ、前記通信ネットワークを介して前記外部装置から前記記録対象情報を受け取らせるようにしてもよい。
また、上記各制御プログラムをコンピュータ読取可能な記録媒体に記録することも可能である。
【発明の効果】
【０００９】
本発明によれば、画像記録用紙をプリンタに挿入するだけで、必要な情報を印刷させることができる。
【発明を実施するための最良の形態】
【００１０】
次に図面を参照して、本発明の好適な実施形態を説明する。
図１は、実施形態のプリントシステムの概要構成図である。
プリントシステム１は、パーソナルコンピュータ２と、パーソナルコンピュータ２にＬＡＮ３を介して接続されたプリンタ１０と、パーソナルコンピュータ２にＬＡＮ３を介して接続されたインターネットなどの通信ネットワーク４と、通信ネットワーク４に接続されたＷｅｂサーバ５と、を備えている。
パーソナルコンピュータ２には、各種データを含むファイルが格納されたデータベース６が接続されている。
【００１１】
図２は、磁気記録再生装置を備えたドットインパクトプリンタを示す全体斜視図である。図３は、図２のプリンタを示す側断面図である。
プリンタ１０は、記録ヘッド１２（図２参照）の多数の記録ワイヤを、インクリボン（図示せず）を介して画像記録用紙に打ち付けてドットを記録することにより、文字を含む画像を記録するパスブック型のドットインパクトプリンタである。
さらにプリンタ１０は、磁気記録再生装置１１を一体に装備している。画像記録用紙は、通常、金融機関等で使用されている通帳や複写紙、一枚紙等であり、これらの画像記録用紙に貼着あるいは印刷された記録媒体としての磁気ストライプに、磁気記録再生装置１１が磁気情報を記録し、または、この記録された磁気情報を読み取って再生することとなる。
【００１２】
プリンタ１０は、図２及び図３に示すように、左サイドフレーム１３、右サイドフレーム１４及びベースフレームを備えた本体フレームに、キャリッジ１５、記録ヘッド１２、搬送装置（フロントローラ、リアローラ）、磁気記録再生装置１１及び制御装置としての制御基板部を有して構成される。
搬送装置は、図３に示すように、フロントローラＦＲ、リアローラＲＲを備えている。フロントローラＦＲは、上下一対の駆動ローラ１７Ａ及び従動ローラ１８Ａで構成されている。また、リアローラＲＲは、同じく上下一対の駆動ローラ１７Ｂ及び従動ローラ１８Ｂで構成されている。
フロントローラＦＲおよびリアローラＲＲは、記録ヘッド１２の上流側と下流側に一組づつ配置され、これら二組の駆動ローラ１７及び従動ローラ１８が、搬送案内１９に載置された記録用紙等を挟持して、この記録用紙等を副走査方向（矢印Ａ方向）に搬送する。なお、従動ローラ１８は、駆動ローラ１７と同様に駆動ローラであってもよい。
【００１３】
リアローラＲＲの従動ローラ１８Ｂ側には、先端部２９Ａが記録ヘッド１２側に延出して、記録ヘッド１２を通過した、通帳及び複写紙を含む記録用紙の先端を、リアローラＲＲに案内する案内部材２９が設けられている。
キャリッジ１５は、記録ヘッド１２を搭載し、この記録ヘッド１２をプラテン４９に沿って矢印Ａと直交する方向である主走査方向に右向きまたは左向きに走行させる。この主走査方向は、搬送装置による画像記録用紙等の搬送方向（副走査方向）と直交する方向となっている。
プラテン４９は、図示しない付勢ばねを用いて、記録ヘッド１２に対し接離する方向に移動自在に弾性支持されている。これにより、記録ヘッド１２とプラテン４９との間に厚さの異なる画像記録用紙が搬送された場合でも、プラテン４９が通帳等の厚さ方向で、記録ヘッド１２から離れる向きに移動して、記録ヘッド１２と記録用紙等の表面（印字面）との間に一定のプラテンギャップが確保される。
【００１４】
記録ヘッド１２は多数の図示しない記録ワイヤを備え、これらの記録ワイヤの突出方向前方で、記録ヘッド１２とプラテン４９との間に図示しないインクリボンが位置する。この記録ヘッド１２は、キャリッジと共に主走査方向に走行する間に、記録ワイヤを突出させてインクリボンに打ち当て、このインクリボンのインクを記録ヘッド１２の下方に位置する記録用紙等に付着させて、この記録用紙等に文字を含む画像を記録することとなる。
【００１５】
図４は、プリンタの概要構成ブロック図である。
プリンタ１０は、プリンタ１０全体を制御するＣＰＵ５０と、制御プログラムおよび制御用データを予め記憶したＲＯＭ５１と、各種データを一時的に格納するＲＡＭ５２と、画像記録用紙の磁気ストライプに記録された情報を読み出し、あるいは、記録するための磁気記録再生装置１１と、記録ヘッド１２と、記録ヘッド１２を制御する印字制御部５５と、対応する各部を駆動するための複数のモータを有するモータ部５６と、モーター部を構成する各モータを制御するためのモータ制御部５７と、イーサネット（登録商標）等の通信インターフェースを含む各種インターフェースを備えたインターフェース（Ｉ／Ｆ）部５８と、インターフェース部５８を制御するためのインターフェース（Ｉ／Ｆ）制御部５９と、を備えている。
【００１６】
次に実施形態の動作について説明する。
図５は、プリンタの処理フローチャートである。また、図６は、パーソナルコンピュータ２の処理フローチャートである。
本実施形態の画像記録用紙には、記録対象を特定するための記録対象特定情報が磁気ストライプに記録されている。
具体的には、インターネット上のホームページなどのｗｅｂページを印刷させたい場合には、記録対象特定情報としてＵＲＬ、例えば
http://www.xxx.com
のように記録されている。また、パーソナルコンピュータ２あるいはデータベース上のファイル内容を印刷させたい場合には、記録対象特定情報としてファイルへのパス、例えば、対象が文書ファイルの場合、
\\hfxxx\abc\zzz.doc
のように記録されている。さらにカーナビゲーションの地図情報等を特定する情報などでもよい。
【００１７】
プリンタ１０を用いて実際に印字を行う場合には、まずユーザは、記録制御情報が記録されている磁気ストライプを有する画像記録用紙をプリンタ１０に対し、矢印Ａ方向（図２）に挿入する（ステップＳ１１）。この画像記録用紙が所定位置まで挿入されると、画像記録用紙は、フロントローラＦＲによりさらに矢印Ａ方向に搬送される。
これに伴い、ＣＰＵ５０は、磁気ヘッド５３および記録媒体リード／ライト制御部５４を介して画像記録用紙の磁気ストライプから記録制御情報を読み出す（ステップＳ１２）。
続いてＣＰＵ５０は、インターフェース制御部５９を介して、インターフェース部５８を構成する通信インターフェースを制御し、ＬＡＮ３を介して外部装置であるパーソナルコンピュータ２に対して画像記録用紙から読み出した記録制御情報に含まれる記録対象情報を特定するための記録対象特定情報を記録対象情報を要求すべく送信する（ステップＳ１３）。
【００１８】
これによりパーソナルコンピュータ２は、記録対象特定情報を受信すると（ステップＳ２１）、受信した記録対象特定情報のデータ解析を行う（ステップＳ２２）。
続いてパーソナルコンピュータ２は、データ解析の結果に基づいて、記録対象特定情報がＵＲＬに対応するものであるか、ファイルパスに対応するものであるかを判別する（ステップＳ２３）。
ステップＳ２３の判別において、記録対象特定情報がＵＲＬに対応するものである場合には、パーソナルコンピュータ２は、Ｗｅｂブラウザを起動し、記録特定対象特定情報で指定されたＵＲＬの画面データをＷｅｂサーバ５より取得し、取得した画面データをＷｅｂブラウザからプリンタドライバに送信させる（ステップＳ２４）。
これによりパーソナルコンピュータ２のプリンタドライバは、取得した画面に対応する印字データをプリンタ１０にＬＡＮ３を介して送信する（ステップＳ２５）。
【００１９】
この結果、外部装置であるパーソナルコンピュータ２から記録対象情報である記録対象特定情報に含まれるＵＲＬの画面データに対応する印字データを受け取ったＣＰＵ５０は、印字制御部５５およびモータ制御部５７を制御し、モータ部５６により駆動ローラ１７を駆動して画像記録用紙を副操作方向に搬送しつつ、記録ヘッド１２を主走査方向に走査して印字データに対応する画像（ＵＲＬに対応する画面の画像）を記録対象として印字して処理を終了する（ステップＳ１５）。
ステップＳ２３の判別において、記録対象特定情報がファイルパスに対応するものである場合には、パーソナルコンピュータ２は、ファイルパスで指定されたファイルの種別に応じて対応アプリケーションプログラムを起動し、記録特定対象特定情報で指定されたファイルパスのファイルに含まれる印字対象データをデータベース６から印字データとして取得し、取得した印字データを対応アプリケーションプログラムからプリンタドライバに送信させる（ステップＳ２６）。
【００２０】
これによりパーソナルコンピュータ２のプリンタドライバは、データベース６から取得した印字データをプリンタ１０にＬＡＮ３を介して送信する（ステップＳ２５）。
この結果、外部装置であるパーソナルコンピュータ２から印字データを受け取ったＣＰＵ５０は、印字制御部５５およびモータ制御部５７を制御し、モータ部５６により駆動ローラ１７を駆動して画像記録用紙を搬送しつつ、記録ヘッド１２を主走査方向に走査して印字データに対応する画像（ファイルパスのファイルをＵＲＬに対応する画面の画像）を記録対象として印字して処理を終了する（ステップＳ１５）。
以上の説明のように、本実施形態によれば、画像記録用紙に記録対象特定情報で特定する記録対象情報を記憶させた記憶媒体を設けるだけで、容易に印刷を行わせることができる。
以上の説明においては、記憶媒体として磁気ストライプを用いる場合を説明したが、二次元バーコードを設けたり、ＩＣチップを設けることも可能である。この場合には、磁気ヘッドに代えてバーコードリーダあるいはＩＣチップリーダを設ければ同様に適用が可能である。
【００２１】
以上の説明においては、記憶媒体に記憶させた記録対象特定情報としてＵＲＬあるいはファイルパスを利用して印字を行う場合について説明したが、記録対象特定情報に加えて一または複数のメールアドレス（例えば、abc@xxx.co.jp）および差し込み情報（例えば、受信者名、日付情報、送信者名など）を記録しておき、記録対象特定情報に対応するメール基本情報に差し込み情報を差し込んでメール情報を生成し、当該メール情報に基づいてメール送信を行うことも可能である。この場合において、さらに、差し込み情報が差し込まれた状態のメール情報の内容を印字するように構成することも可能である。
【００２２】
以上の説明においては、プリンタを制御するための制御プログラムがＲＯＭ５１に予め記憶されている場合について説明したが、各種磁気ディスク、光ディスク、メモリカードなどの記録媒体に制御用プログラムをあらかじめ記録し、これらの記録媒体から読み込み、インストールするように構成することも可能である。また、通信インターフェースを設け、インターネット、ＬＡＮなどのネットワークを介して制御用プログラムをダウンロードし、インストールして実行するように構成することも可能である。このように構成することにより、ソフトウェア的により高機能としたり、より信頼性の高いプリンタ（記録装置）を構成することが可能となる。
【図面の簡単な説明】
【００２３】
【図１】実施形態のプリントシステムの概要構成図である。
【図２】磁気記録再生装置を備えたドットインパクトプリンタを示す全体斜視図である。
【図３】図２のプリンタを示す側断面図である。
【図４】プリンタの概要構成ブロック図である。
【図５】プリンタの処理フローチャートである。
【図６】パーソナルコンピュータの処理フローチャートである。
【符号の説明】
【００２４】
１…プリントシステム、２…パーソナルコンピュータ、３…ＬＡＮ、４…通信ネットワーク、５…Ｗｅｂサーバ、１１…磁気記録再生装置、１２…記録ヘッド、
１０…プリンタ、５０…ＣＰＵ、５１…ＲＯＭ、５２…ＲＡＭ５２、５５…印字制御部、５６…モータ部、５７…モータ制御部、５８…インターフェース（Ｉ／Ｆ）部、５９…インターフェース（Ｉ／Ｆ）制御部
【図１】
2005280046.tif 000003
【図２】
2005280046.tif 000004
【図３】
2005280046.tif 000005
【図４】
2005280046.tif 000006
【図５】
2005280046.tif 000007
【図６】
2005280046.tif 000008